(57)【要約】【課題】機械フィルタを使わず、液状集塵物を集塵部から直ぐに除去して異常放電の発生を防ぎ、異常放電が生じても、速やかに集塵作用を継続出来る電気集塵機を提供する。【解決手段】水や油を帯電させるためのイオン化線２およびイオン化電極３を有するイオン化部４と、帯電した浮遊粒子をクーロン力により捕集するための集塵電極板５および集塵対電極板６を有する集塵部７と、これらに電力を供給する電源８と、でなり、集塵電極板５および集塵対電極板６を矩形にし、矩形状の集塵電極板５および集塵対電極板６を、それらの板面５ａおよび６ａが垂直となるように配設すると共に、集塵電極板５および集塵対電極板６を水平面ＨＰに対し傾斜させ、集塵電極板５および集塵対電極板６の最下部５Ａおよび６Ａに、水や油を集塵した後の液状集塵物ＣＬを集め得るようにすることで、上記課題を達成する。【選択図】図２
2013230455.tif 000002
【特許請求の範囲】
【請求項１】
コロナ放電などにより空気中の浮遊粒子を帯電させるためのイオン化線およびイオン化電極を有するイオン化部と、帯電した浮遊粒子をクーロン力により捕集するための集塵電極板および集塵対電極板を交互に配置し且つこれらをスペーサにて等間隔に備えてなる集塵部と、前記イオン化部および前記集塵部に電力を供給する電源と、からなる電気集塵機において、前記集塵電極板および前記集塵対電極板を矩形に形成し、矩形状の前記集塵電極板および前記集塵対電極板を、それらの板面が垂直となるように配設すると共に、垂直に配設した矩形状の前記集塵電極板および前記集塵対電極板を水平面に対し傾斜させてなり、前記集塵電極板および前記集塵対電極板の長手方向下側辺の最下部に集塵後の液状集塵物を集めるようにしたことを特徴とする電気集塵機。
【請求項２】
矩形状の前記集塵電極板および前記集塵対電極板の水平面に対する傾斜角αは、１５度ないし７５度の範囲である請求項１記載の電気集塵機。
【請求項３】
矩形状の前記集塵電極板および前記集塵対電極板の少なくともいずれか１方の長手方向下側辺の最下部に液集合片を延設した請求項１または２記載の電気集塵機。
【請求項４】
矩形状の前記集塵対電極板の長手方向下側辺の最下部にのみ液集合片を延設した請求項１または２記載の電気集塵機。
【請求項５】
前記電源に、前記イオン化部に一定電流を送るが設定電圧を上回らない定電流制御部と、前記集塵部に所定電圧を印加すると共に、印加電圧値および電流値の急激な変動を招く異常放電を検知する検知部を備え、該検知部からの異常放電情報に基づき前記集塵部に異常放電しない段階まで所定電圧を変更する指令を出す電圧段階制御部と、該電圧段階制御部からの電圧変更指令により所定電圧を変更する電圧変更部と、を付加させてなり、前記イオン化部に前記電源から前記定電流制御部により一定電流を送り、且つ前記集塵部に前記電源から前記電圧段階制御部により所定電圧を印加し、前記集塵部に異常放電が発生した際、前記電圧段階制御部により、前記電源と前記集塵部とを一旦遮断したあと、前記電圧変更部によって異常放電が発生しない所定電圧に変更して前記集塵部に印加し、異常放電発生後にも集塵作用を継続するようにした請求項１ないし４のうち１項に記載の電気集塵機。
【発明の詳細な説明】
【技術分野】
【０００１】  本発明は、イオン化部と集塵部とこれらに電力を供給する電源とを有してなる電気集塵機に関し、詳しくは、集塵部の矩形状の集塵電極板および集塵対電極板を、それらの板面が垂直となるように配設し、集塵電極板および集塵対電極板を水平面に対し傾斜させて、集塵電極板および集塵対電極板の長手方向側辺の最下部に集塵後の液状集塵物を集めるようにした電気集塵機に関する。
【背景技術】
【０００２】  電気集塵機は、図７に示すように、コロナ放電などによって空気中の浮遊粒子を帯電させるためのイオン化線５０およびイオン化電極５１を有するイオン化部５２と、帯電した浮遊粒子をクーロン力により捕集するための集塵電極板５３および集塵対電極板５４を交互に配置し且つこれらをスペーサにて等間隔に備えてなる集塵部５５と、これらイオン化部５２および集塵部５５に電力を供給する電源５６と、この電源５６からの電力供給を制御する制御部５７と、からなるものである。そして、この電気集塵機は、イオン化部５２にて空気中の浮遊粒子を帯電し、集塵部５５にて帯電した浮遊粒子を捕集して、空気中の浮遊粒子を除去して、環境を良好に保持するのに使用されるものである。ところが、この電気集塵機は、空気中の湿度が高かったり、油煙を多く含むような場合には、集塵の継続により、液状集塵物として、集塵部５５の主に集塵対電極板５４の下側の長手方向側辺５４ａに、図８ないし１０に示すような状態で、多数箇所に渡り溜まることになる。【０００３】  そして、集塵対電極板５４の長手方向下側辺５４ａに溜まった液状集塵物は、集塵の継続によりある程度の大きさに成長すると落下する。しかしながら、成長した液状集塵物は、集塵電極板５３および集塵対電極板５４間を狭め絶縁抵抗を下げるから、これら集塵電極板５３および集塵対電極板５４間で、激しく火花が飛ぶ火花放電などの異常放電が発生することになって、空気中の浮遊粒子の集塵効率が著しく低下したり、あるいは集塵を停止したりすると共に、捕集した結果としての液状集塵物が可燃物が多い場合、火災の原因になりかねない。【０００４】  このような状況から、空気中の浮遊粒子として、油煙や湿気の比率が高い場合、吸込口およびその下流域に取り付けた２段構えの油煙・湿気除去フィルタにより、油煙・湿気を７割がた除去し、その後上記した電気集塵機にて残りの３割がたの油煙・湿気を除去する電気集塵機付空気処理装置がある。この電気集塵機付空気処理装置は、油煙や湿気の比率が高い空気を吸い込む吸込口近傍に、湿度センサを取り付けてあり、その湿度センサの測定湿度により、上記の電気集塵機に準じて説明すれば、イオン化部５２および集塵部５５に印加する電圧を電源５６を制御する制御部５７により加減することになる。すなわち、印加電圧（ＫＷ）は、湿度センサの測定湿度により、以下の式によって求められる。
印加電圧（ＫＷ）＝−１／３０×湿度（％）＋６．５
湿度センサによる測定湿度が高くなると、それだけ液状集塵物が多くなるから異常放電の発生頻度が上昇する。しかしながら、上式によれば、その分印加電圧が下がるから、異常放電の発生を避けることになって、集塵効率の低下や火災などの原因となることを押さえることが可能となる（例えば、特開２００８−３６４７１号公報参照）。
【先行技術文献】
【特許文献】
【０００５】
【特許文献１】  特開２００８−３６４７１号公報
【発明の概要】
【発明が解決しようとする課題】
【０００６】  上記特許文献１の電気集塵機付空気処理装置は、空気中の油煙や湿気を機械フィルタである２段構えの油煙・湿気除去フィルタにて７割がた除去し、除去しきれなかった残り３割を電気集塵機にて除去する。その際、電気集塵機にて集塵した液状集塵物を原因とする異常放電の発生を防ぐために、湿度センサの測定湿度により電気集塵機に印加する電圧を決めて、異常放電の発生頻度を下げている。したがって、この電気集塵機付空気処理装置では、２段構えの油煙・湿気除去フィルタの清掃が必要となり、加えて、湿度センサが２段構えの油煙・湿気除去フィルタ前の吸込口近傍に設置されていることから、湿度センサ自体が空気中の油煙や湿気によりすぐに汚れてしまい、正確な湿度測定が難しく、電気集塵機に印加する電圧を正確にコントロールすることが出来ないことになって、期待した異常放電の発生頻度を下げることができない。【０００７】  そこで、本発明は、上記事情に鑑みてなされたもので、機械フィルタを使用しないで、液状集塵物を集塵部から速やかに除去し、適正な絶縁抵抗を保持して集塵部で異常放電が発生するのを防ぐと共に、仮に異常放電が起きても速やかに正常な電界形成を再開して、集塵作用を継続することが出来る電気集塵機を提供することを課題とする。
【課題を解決するための手段】
【０００８】  本発明は、上記課題を達成するために提案されたものであって、下記の構成からなることを特徴とするものである。
すなわち、請求項１記載の発明は、コロナ放電などにより空気中の浮遊粒子を帯電させるためのイオン化線およびイオン化電極を有するイオン化部と、帯電した浮遊粒子をクーロン力により捕集するための集塵電極板および集塵対電極板を交互に配置し且つこれらをスペーサにて等間隔に備えてなる集塵部と、前記イオン化部および前記集塵部に電力を供給する電源と、からなる電気集塵機において、前記集塵電極板および前記集塵対電極板を矩形に形成し、矩形状の前記集塵電極板および前記集塵対電極板を、それらの板面が垂直となるように配設すると共に、垂直に配設した矩形状の前記集塵電極板および前記集塵対電極板を水平面に対し傾斜させてなり、前記集塵電極板および前記集塵対電極板の長手方向側辺の最下部に集塵後の液状集塵物を集めるようにしたことを特徴とする電気集塵機である。【０００９】  また、請求項２記載の発明は、矩形状の前記集塵電極板および前記集塵対電極板の水平面に対する傾斜角αは、１５度ないし７５度の範囲である電気集塵機である。【００１０】  また、請求項３記載の発明は、矩形状の前記集塵電極板および前記集塵対電極板の少なくともいずれか１方の長手方向側辺の最下部に液集合片を延設した電気集塵機である。【００１１】  また、請求項４記載の発明は、矩形状の前記集塵対電極板の長手方向側辺の最下部にのみ液集合片を延設した電気集塵機である。【００１２】  また、請求項５記載の発明は、前記電源に、前記イオン化部に一定電流を送るが設定電圧を上回らない定電流制御部と、前記集塵部に所定電圧を印加すると共に、印加電圧値および電流値の急激な変動を招く異常放電を検知する検知部を備え、該検知部からの異常放電情報に基づき前記集塵部に異常放電しない段階まで所定電圧を変更する指令を出す電圧段階制御部と、該電圧段階制御部からの電圧変更指令により所定電圧を変更する電圧変更部と、を付加させてなり、前記イオン化部に前記電源から前記定電流制御部により一定電流を送り、且つ前記集塵部に前記電源から前記電圧段階制御部により所定電圧を印加し、前記集塵部に異常放電が発生した際、前記電圧段階制御部により、前記電源と前記集塵部とを一旦遮断したあと、前記電圧変更部によって異常放電が発生しない所定電圧に変更して前記集塵部に印加し、異常放電発生後にも集塵作用を継続するようにした電気集塵機である。【００１３】  上記第１の課題解決手段による作用は次の通りである。すなわち、電源からイオン化部及び集塵部に電力を供給すると、集塵部にて空気中の浮遊粒子を集塵するが、浮遊粒子が水や油であると、主に集塵対電極板上に、わずかに集塵電極板上に集塵され、その液状集塵物は重力により傾斜している集塵対電極板上および集塵電極板上を流れ、それらの長手方向下側辺の最下部に集まり、そこで大きく成長した液状集塵物はやがて落下するので、集塵電極板及び集塵対電極板間を狭め絶縁抵抗を下げることがない。【００１４】  上記第２の課題解決手段による作用は、矩形状の集塵電極板および集塵対電極板の水平面に対する傾斜角αが、１５度ないし７５度の範囲にあると、集塵電極板上および集塵対電極板上に集塵された液状集塵物は、集塵電極板上および集塵対電極板上を流れ、それらの長��方向下側辺の最下部に集まり易くなる。【００１５】  上記第３の課題解決手段による作用は、矩形状の集塵電極板および集塵対電極板の少なくともいずれか１方の長手方向下側辺の最下部に液集合片を延設してあるから、集塵電極板上および集塵対電極板上に集塵された液状集塵物は、集塵電極板上および集塵対電極板上を流れ、それらの１方の長手方向下側辺の最下部に延設してある液集合片に集まり落下するので、この液集合片と集塵電極板および集塵対電極板のいずれか他方との距離が大きく離れた状態を維持し、その結果、集塵電極板および集塵対電極板間の絶縁抵抗を下げることがない。【００１６】  上記第４の課題解決手段による作用は、矩形状の前記集塵対電極板の長手方向下側辺の最下部にのみ液集合片を延設してあるから、集塵対電極板上に集塵された液状集塵物は、集塵対電極板上を流れ、その長手方向下側辺の最下部に延設してある液集合片に集まり落下するので、液集合片と集塵電極板との距離が大きく離れた状態を維持し、その結果、集塵電極板及び集塵対電極板間の絶縁抵抗を下げることがない。【００１７】  上記第５の課題解決手段による作用は、イオン化部に電源から定電流制御部により一定電流を送り、イオン化部に安定したコロナ放電などを起こし、ここを通過する空気中の浮遊粒子を帯電し、集塵部に電源から電圧段階制御部により所定電圧を印加して、集塵部に安定した電界を生じさせ、ここを通る帯電浮遊粒子を捕集し、その捕集過程で検知部が集塵部に異常放電が発生したこと検知した際、その異常放電情報を受けて電圧段階制御部により、電源と集塵部とを一旦遮断したあと、電圧変更部により所定電圧を変更して集塵部に印加し、異常放電を止めて集塵作用をさらなる異常放電が発生するまで継続し、以後、上記した異常放電発生、異常放電一時遮断、所定電圧変更、異常放電停止および集塵作用継続の一連のサイクルを許容回数続ける。
【発明の効果】
【００１８】  以上詳述したように、本発明によれば、以下のような効果がある。
請求項１記載の発明は、機械フィルタを使用しなくても、液状集塵物を集塵部から速やかに除去出来、適正な絶縁抵抗を保持して集塵部で異常放電が発生するのを防ぐと共に、仮に異常放電が起きても速やかに正常な電界形成を再開して、集塵作用を継続することが出来る効果がある。【００１９】  また、請求項２記載の発明は、上記効果に加えて、液状集塵物を、集塵部の集塵電極板上および集塵対電極板上における長手方向下側辺の最下部に、なお一層集め易くなり、集塵部から液状集塵物を、なお一層速やかに除去出来る効果がある。【００２０】  また、請求項３記載の発明は、上記効果に加えて、液状集塵物を、集塵部の集塵電極板上および集塵対電極板上のいずれか一方の長手方向下側辺の最下部に延設した液集合片に、なお一層集まり易くなり、集塵部から液状集塵物をなお一層速やかに除去出来る効果がある。【００２１】  また、請求項４記載の発明は、上記効果に加えて、液状集塵物を、集塵部の集塵対電極板上の長手方向下側辺の最下部に延設した液集合片に、なお一層集まり易くなり、集塵部から液状集塵物をなお一層速やかに除去出来、さらに、液集合片と集塵電極板との距離が大きく離れた状態を維持出来て、なお一層異常放電の発生を阻止出来る効果がある。【００２２】  また、請求項５記載の発明は、上記効果に加えて、イオン化部におけるコロナ放電などを安定して継続でき、集塵部に環境の変動などにより、火花放電などの異常放電が起きても、速やかに正常な電界形成を再開して集塵作用を継続することが出来、全体として、メンテナンス頻度を減らすことが出来る効果がある。
【図面の簡単な説明】
【００２３】
【図１】本発明の実施の形態を採用する電気集塵機の概念図である（実施例１）。
【図２】本発明の実施形態の電気集塵機における集塵対電極板上の液状集塵物の流れ状況を示す斜視図である（実施例１）。
【図３】本発明の実施形態の電気集塵機における集塵対電極板の液集合片に溜まった液状集塵物を示す側面図である（実施例１）。
【図４】本発明の実施形態の電気集塵機における集塵対電極板の液集合片に溜まった液状集塵物を示す正面図である（実施例１）。
【図５】本発明の実施形態の電気集塵機における電源の電圧変更部を示す結線図である（実施例１）。
【図６】本発明の実施形態の電気集塵機における電源の他の電圧変更部を示す結線図である（実施例１）。
【図７】従来の電気集塵機を示す図１と同状の概念図である。
【図８】従来の電気集塵機における集塵対電極板上の液状集塵物の流れ状況を示す斜視図である。
【図９】従来の電気集塵機における集塵対電極板の長手方向下側辺に溜まった液状集塵物を示す側面図である。
【図１０】従来の電気集塵機における集塵対電極板の長手方向下側辺に溜まった液状集塵物を示す正面図である。
【発明を実施するための形態】
【００２４】
【実施例１】
【００２５】  図面において、電気集塵機１は、コロナ放電などにより空気中の浮遊粒子、例えば、水や油を帯電させるためのイオン化線２およびイオン化電極３を有するイオン化部４と、帯電した浮遊粒子をクーロン力により捕集するための集塵電極板５および集塵対電極板６を交互に配置し且つこれらをスペーサにて等間隔に備えてなる集塵部７と、イオン化部４および集塵部７に電力を供給する電源８と、からなり、集塵電極板５および集塵対電極板６を矩形に形成し、矩形状の集塵電極板５および集塵対電極板６を、それらの板面５ａおよび６ａが垂直となるように配設すると共に、垂直に配設した矩形状の集塵電極板５および集塵対電極板６を水平面ＨＰに対し傾斜させてなり、集塵電極板５および集塵対電極板６の長手方向下側辺５ｂおよび６ｂの最下部５Ａおよび６Ａに、空気中の水や油の浮遊粒子を集塵した後の液状集塵物ＣＬを集め得るようにしたものである。【００２６】  前記電気集塵機１は、いわゆる２段荷電型電気集塵機と呼ばれるものであり、前記イオン化部４は、そののイオン化線２が電源８のプラス極８ａに、イオン化電極３が電源８のマイナス極８ｂに、それぞれ接続している。一方、前記集塵部７は、集塵電極板５と集塵対電極板６との間に高い所定電圧を印加することにより高い電界を形成するために電源８に接続し、さらに、集塵電極板５と電源８との間に高抵抗体１０を接続している。集塵電極板５は電源８のプラス極８ａに、集塵対電極板６は電源８のマイナス極８ｂにそれぞれ接続している。【００２７】  集塵部７における矩形状の集塵電極板５および集塵対電極板６の水平面ＨＰに対する傾斜角αは、１５度ないし７５度の範囲である。集塵電極板５および集塵対電極板６の傾斜角αがこの範囲にあると、集塵された液状集塵物ＣＬは、集塵電極板５上および集塵対電極板６上をスムーズに流れ、それらの長手方向下側辺５ｂおよび６ｂの最下部５Ａおよび６Ａに集まり易くなる。なお、この傾斜角αが１５度に満たない場合は、集塵電極板５および集塵対電極板６の長手方向下側辺５ｂおよび６ｂの最下部５Ａおよび６Ａに、集塵後の液状集塵物ＣＬを集めづらくなり、逆に、傾斜角が７５度を越える場合は、電気集塵機１が垂直方向に延びて全体の機高が高くなると共に、集塵時に帯電した浮遊粒子が集塵電極板５および集塵対電極板６間を通過する距離が短くなり、集塵効率が低下することにつながる。したがって、より好ましい傾斜角は、２０度ないし４５度の範囲である。【００２８】  そして、矩形状の集塵電極板５および集塵対電極板６の少なくともいずれか１方の長手方向下側辺５ｂおよび６ｂの最下部５Ａおよび６Ａに、液集合片１１を延設している。したがって、集塵電極板５上および集塵対電極板６上に集塵された液状集塵物ＣＬは、集塵電極板５上および集塵対電極板６上を流れ、それらの１方の長手方向下側辺５ｂおよび６ｂの最下部５Ａおよび６Ａに延設してある液集合片１１に集まり落下するので、この液集合片１１と集塵電極板５および集塵対電極板６のいずれか他方との距離が大きく離れた状態を維持し、その結果、集塵電極板５および集塵対電極板６間の絶縁抵抗を下げることがなく、異常放電を防げる。【００２９】  この液集合片１１には��その形状、大きさに特に限定がなく、その表面は液状集塵物ＣＬの表面張力を引き下げる公知の処理を施されることが望まれ、その処理が施されていると、液集合片１１から液状集塵物ＣＬがスムーズに落下することになる。なお、この処理は、集塵対電極板６の板面６ａ全体に施されてもよく、液状集塵物ＣＬが板面６ａ上をスムーズに流れる。【００３０】  通常、空気中の浮遊粒子が水や油である場合、ほとんどが集塵対電極板６上に集塵されるので、液集合片１１は、集塵対電極板６の長手方向下側辺６ｂの最下部６Ａにのみ延設されることになる。したがって、集塵対電極板６上に集塵された液状集塵物ＣＬは、集塵対電極板６上を流れ、その長手方向下側辺６ｂの液集合片１１に集まり落下するので、液集合片１１と集塵電極板５との距離が大きく離れた状態を維持し、その結果、集塵電極板５および集塵対電極板６間の絶縁抵抗を下げることがなく、異常放電を極めて有効に防げ得る。【００３１】  前記電源８は、電気集塵機１のイオン化部４および集塵部７に対して必要な電圧及び電流を供給するものであり、これらの条件を満たせるものであれば、特に限定がない。なお、図１中、１２は電源８とイオン化部４および集塵部７との接続をオンオフするためのスイッチである。【００３２】  そして、この電源８には、イオン化部４に一定電流を送るが設定電圧を上回らない定電流制御部１３と、集塵部７に所定電圧を印加すると共に、印加電圧値および電流値の急激な変動を招く異常放電を検知する検知部１４を備え、この検知部１４からの異常放電情報に基づき集塵部７に異常放電しない段階まで所定電圧を変更する指令を出す電圧段階制御部１５と、この電圧段階制御部１５からの電圧変更指令により所定電圧を変更する電圧変更部１６と、が付加されている。【００３３】  これにより、イオン化部４に電源８から定電流制御部１３により一定電流を送り、且つ集塵部７に電源８から電圧段階制御部１５により所定電圧を印加し、集塵部７に異常放電が発生した際、電圧段階制御部１５により、電源８と集塵部７とを一旦遮断したあと、電圧変更部１６によって異常放電が発生しない所定電圧に変更して集塵部７に印加し、異常放電発生後にも集塵作用を継続するようになる。【００３４】  前記定電流制御部１３は、イオン化部４のイオン化線２に電源８から一定電流、例えば、０．３ないし２．０ｍＡの範囲内の一定電流を送るためのものであるが、この際の適正電圧は、７０００ないし８０００Ｖの範囲内である。しかしながら、この定電流制御部１３は、上記の０．３ないし２．０ｍＡの範囲内の一定電流を送るため、７０００ないし８０００Ｖの電圧を著しく逸脱するような電圧、例えば、１００００Ｖ以上になるようなことを防ぐための公知の機能を備えている。【００３５】  前記電圧段階制御部１５は、集塵部７の集塵電極板５に電源８から所定電圧、例えば、１５００ないし４５００Ｖの範囲内の所定電圧を印加するための指令を出すものであるが、この際の電流は、０．０５ないし０．１ｍＡの範囲である。さらに、検知部１４は、集塵部７に対し印加している電圧値並びに電流値の急激な変動をを招く異常放電を検知するものであり、例えば、集塵部７の電圧値が４０００Ｖで、電流��が０．１ｍＡで正常な電界形成がなされている場合、何らかの原因で集塵部７の環境が急激に変動して、電圧値が２５００〜３０００Ｖ、電流値が０．２ｍＡに急激に変動するような異常放電を検知するものである。【００３６】  そして、この検知部１４が集塵部７の上記異常放電を検知すると、その異常放電情報を電圧段階制御部１５が受信し、その異常放電情報を受信した電圧段階制御部１５は、集塵部７と電源８とをスイッチ１２により一旦遮断した後、前記電圧変更部１６に対して、集塵部７における印加する所定電圧が低くなれば異常放電を回避できる事実に着目して、異常放電しない段階まで所定電圧を変更する指令を発信し、この電圧変更指令を受信した電圧変更部１６は、異常放電しない段階の所定電圧、例えば、上記４０００Ｖから２００Ｖ引き下げて、３８００Ｖに変更する。以下、再び集塵部４に異常放電が発生した場合、上記した手順にて順次所定電圧を引き下げることで、対応する。【００３７】  なお、電圧段階制御部１５および電圧変更部１６による所定電圧の変更は、例えば、図５に示すように、異常放電情報を受信した電圧段階制御部１５のＣＰＵ２０が、受信した異常放電情報と予め記憶している情報とを対比して、集塵部７に異常放電しない段階の所定電圧を決め、その電圧変更指令をＰＷＭ（パルス幅変調）信号として増幅回路２１に発信する。そして、ＰＷＭ信号を受信した増幅回路２１、昇圧トランス２２および昇圧回路２３で構成する電圧変更部１６を経て、上記したＰＷＭ信号に沿う所定電圧を集塵部７に印加する。【００３８】  また、上記の電圧段階制御部１５Ａおよび電圧変更部１６Ａによる所定電圧の変更は、例えば、図６に示すようなものでもよい。すなわち、電圧段階制御部１５Ａが、集塵部７と電源８の間に並列に配置したｎ個の抵抗（Ｒ１＜Ｒ２…＜Ｒｎ−１＜Ｒｎ）を有してなる電圧変更部１６Ａに指令を出すことで、集塵部７と電源８との間に抵抗Ｒ１を接続している時に検知部１４が異常放電を検知した際、集塵部７と電源８とをスイッチ１２により一旦遮断した後、集塵部７と電源８との間に抵抗値の大なる抵抗Ｒ２に切り替えてから、集塵部７に異常放電しない段階の所定電圧を印加し、集塵部７における異常放電後にも正常な集塵を回復させ、以後再び異常放電が発生しない限り、正常な集塵を継続するようになる。以後設置したｎ−２個の抵抗Ｒだけ順次抵抗値の大なる抵抗Ｒ３〜Ｒｎに切り替えて、段階的に所定電圧を変更して集塵部７に印加するようにして、異常放電後も集塵作用を継続することが出来るようにしたものである。【００３９】  なお、ｎ個の抵抗Ｒの抵抗値は、数ＭΩの範囲内にあり、且つ、Ｒ１＜Ｒ２…＜Ｒｎ−１＜Ｒｎの関係にある。抵抗Ｒの数量は特に限定が無いが、３ないし５個が適正な数量となる。【００４０】  以下に、上記構成になる電気集塵機１の作用について詳述する。
まず、電源５をオンした状態で、水や油などの浮遊粒子を含んだ空気が、図１の矢線Ｋ方向から電気集塵機１のイオン化部４内に入ると、このイオン化部４のイオン化線２およびイオン化電極３開に生じているコロナ放電などにより、空気中の浮遊粒子を帯電する。そして、電気集塵機１の運転継続に伴い、イオン化線２の表面が汚れたり酸化などによって、初期の印加電圧よりも高い電圧でないと、コロナ放電などが安定的に生じづらくなるが、このイオン化部４のイオン化線２には、定電流制御部１３により電源８から一定電流、例えば、０．３ないし２．０ｍＡの範囲内の一定電流が送られているため、イオン化線２表面に汚れや酸化などが生じても、初期の印加電圧よりも高い電圧に有効に対応出来て、コロナ放電などが安定的に生じ、イオン化部４における浮遊粒子に対する帯電能力の低下がなく、したがって、イオン化線２表面の汚れや酸化などの影響による集塵効率の低下がないことになる。【００４１】  さらに、上記の帯電した水や油などの浮遊粒子を含んだ空気が集塵部７内に入ると、この集塵部７の集塵電極板５および集塵対電極板６間に所定電圧を印加することで、生じている高い電界によって、帯電した浮遊粒子をクーロン力により集塵電極板５もしくは集塵対電極板６にて捕集し、集塵部７から集塵後の清浄空気を排出することになる。水や油などの浮遊粒子は主に集塵対電極板６上に集塵され、液状集塵物ＣＬをなし、この液状集塵物ＣＬは、図２に示すように、重力により集塵対電極板６の長手方向下側辺６ｂの最下部６Ａに向かって成長しつつ流れ、最終的に液集合片１１に集まり、遂には落下するので、液集合片１１と集塵電極板５との距離が大きく離れた状態を維持出来、その結果、集塵電極板５および集塵対電極板６間の絶縁抵抗を下げることがなく、異常放電を防げる。【００４２】  しかしながら、電気集塵機１の長期にわたる運転継続に伴う、浮遊粒子の堆積などによる集塵電極板５および集塵対電極板６間における環境の変動によって、火花放電などの異常放電が生じ場合、集塵電極板５および集塵対電極板６間に高い電界を維持出来ないばかりか、所定電圧すら印加出来ない状況に追い込まれる。しかしながら、集塵部７の集塵電極板５には、電圧段階制御部１５および電圧変更部１６により電源８から印加する所定電圧を一旦遮断し、その後段階的に所定電圧を変更することで、異常放電を一旦停止すると共に、その後再び高い電界を生じさせているため、集塵電極板５および集塵対電極板６間に異常放電が生じたあとも、若干集塵効率は低下するものの、集塵作用を継続するから、集塵部７の洗浄などのメンテナンス間隔を延長することが可能となる。【００４３】  以上、本発明の実施例１を説明したが、具体的な構成はこれに限定されず、本発明の要旨を逸脱しない範囲での変更は適宜可能であることを理解されるべきである。
【産業上の利用可能性】
【００４４】  本発明の電気集塵機は、機械フィルタを使用しないで、液状集塵物を集塵部から速やかに除去し、適正な絶縁抵抗を保持して集塵部で異常放電が発生するのを防ぐと共に、仮に異常放電が起きても速やかに正常な電界形成を再開して、集塵作用を継続したいような場合に、利用可能性が極めて高くなる。
【符号の説明】
【００４５】１                    電気集塵機
２、５０              イオン化線
３、５１              イオン化電極
４、５２              イオン化部
５、５３              集塵電極板
５Ａ、６Ａ            最下部
５ａ、６ａ            板面
５ｂ、６ｂ            長手方向下側辺
６、５４              集塵対電極板
７、５５              集塵部
８、５６              電源
８ａ                  プラス極
８ｂ                  マイナス極
１０                  高抵抗体
１１                  液集合片
１２                  スイッチ
１３                  定電流制御部
１４                  検知部
１５、１５Ａ          電圧段階制御部
１６、１６Ａ          電圧変更部
２０                  ＣＰＵ
２１                  増幅回路
２２                  昇圧トランス
２３                  昇圧回路
５７                  制御部
ＣＬ                  液状集塵物
ＨＰ                  水平面
Ｒ、Ｒ１−Ｒｎ        抵抗
α                    傾斜角
【図１】
2013230455.tif 000003
【図２】
2013230455.tif 000004
【図３】
2013230455.tif 000005
【図４】
2013230455.tif 000006
【図５】
2013230455.tif 000007
【図６】
2013230455.tif 000008
【図７】
2013230455.tif 000009
【図８】
2013230455.tif 000010
【図９】
2013230455.tif 000011
【図１０】
2013230455.tif 000012